(57)【要約】【課題】情報処理装置が接続された有線ネットワーク環境のセキュリティ性を維持しつつ情報処理装置と無線ネットワークによりデータ通信させる。【解決手段】複合機１０には、アクセスポイントが搭載されたＳＤカード６０が装着される。複合機１０が提供するプリントサービスを利用するユーザは、携帯する携帯端末２０をＳＤカード６０のアクセスポイントにＷｉ−Ｆｉ接続する無線接続処理部２１と、ＳＤカード６０のデータ一時記憶部６２に印刷対象のデータを書き込む処理制御部２４と、を有する。複合機１０には、データ一時記憶部６２からデータを読み出し、印刷を指示する処理制御部１７を有する。【選択図】図１
2016025450.tif 000002
【特許請求の範囲】
【請求項１】
携帯端末装置と、
第１アクセスポイントが接続されたネットワークに接続された情報処理装置であって、前記携帯端末装置を接続する情報処理装置と、
を有し、
前記情報処理装置は、無線ネットワーク機能搭載の記憶装置を接続する接続手段を有し、
前記接続手段に接続された前記記憶装置において無線ネットワーク機能を実現する通信手段を、前記情報処理装置と前記携帯端末装置との間で授受されるデータの通信専用の第２アクセスポイントして利用し、
前記記憶装置に搭載されたデータ記憶手段を、前記情報処理装置と前記携帯端末装置との間で前記第２アクセスポイントを介して授受されるデータの一時格納領域として利用する、
ことを特徴とする情報処理システム。
【請求項２】
前記携帯端末装置は、前記情報処理装置に提供するデータを前記第２アクセスポイントを介して前記データ記憶手段に書き込むデータ書込手段を有し、
前記情報処理装置は、前記携帯端末装置により前記データ記憶手段に書き込まれると、そのデータに対してユーザにより指示された処理の実行を制御する処理制御手段を有する、
ことを特徴とする請求項１に記載の情報処理システム。
【請求項３】
前記情報処理装置は、前記携帯端末装置に提供するデータを前記データ記憶手段に書き込むデータ書込手段を有し、
前記携帯端末装置は、前記情報処理装置によりデータが前記データ記憶手段に書き込まれると、そのデータを前記第２アクセスポイントを介して取得する取得手段を有する、
ことを特徴とする請求項１に記載の情報処理システム。
【請求項４】
前記携帯端末装置は、
識別番号の表示を制御する表示制御手段と、
前記識別番号を前記第２アクセスポイントを介して前記データ記憶手段に書き込む識別番号書込手段を有し、
前記情報処理装置は、
ユーザにより入力された識別番号を受け付ける受付手段と、
前記データ記憶手段に書き込まれた識別番号と前記受付手段により受け付けられた識別番号とを照合する照合手段と、
前記照合手段による照合の結果、識別番号が一致した場合に、ユーザにより指示された処理の実行を制御する処理制御手段と、
を有し、
前記データ書込手段は、前記処理制御手段により実行が制御された処理の実行結果として得られたデータを前記データ記憶手段に書き込む、
ことを特徴とする請求項３に記載の情報処理システム。
【請求項５】
前記携帯端末装置は、自装置を識別可能な識別情報を前記情報処理装置に通知する通知手段を有し、
前記情報処理装置は、前記携帯端末装置から通知された識別情報に基づく名称の一時格納領域を前記データ記憶手段に生成する生成手段を有し、
前記データ書込手段は、前記携帯端末装置に提供するデータを、当該携帯端末装置の識別情報に基づき生成された前記データ記憶手段の一時格納領域に書き込む、
ことを特徴とする請求項３に記載の情報処理システム。
【請求項６】
無線ネットワーク機能搭載の記憶装置を接続する接続手段を有し、
前記接続手段に接続された前記記憶装置において無線ネットワーク機能を実現する通信手段を、接続されたネットワークに接続された第１アクセスポイントとは別の第２アクセスポイントであって、携帯端末装置との間で授受されるデータの通信専用の第２アクセスポイントして利用し、
前記記憶装置に搭載されたデータ記憶手段を、前記携帯端末装置との間で前記第２アクセスポイントを介して授受されるデータの一時格納領域として利用する、
ことを特徴とする情報処理装置。
【請求項７】
第１アクセスポイントが接続されたネットワークに接続されたコンピュータを、
無線ネットワーク機能搭載の記憶装置を接続する接続手段として機能させ、
前記接続手段に接続された前記記憶装置において無線ネットワーク機能を実現する通信手段を、携帯端末装置との間で授受されるデータの通信専用の第２アクセスポイントして利用し、
前記記憶装置に搭載されたデータ記憶手段を、前記携帯端末装置との間で前記第２アクセスポイントを介して授受されるデータの一時格納領域として利用する、
ことを特徴とするプログラム。
【請求項８】
第１アクセスポイントが接続されたネットワークに接続された情報処理装置に接続された無線ネットワーク機能搭載の記憶装置の無線ネットワーク機能を実現する通信手段を、前記情報処理装置との間で授受されるデータの通信専用の第２アクセスポイントして利用し、前記記憶装置に搭載されたデータ記憶手段を、前記情報処理装置との間で前記第２アクセスポイントを介して授受されるデータの一時格納領域として利用する手段を有することを特徴とする携帯端末装置。
【請求項９】
コンピュータを、
第１アクセスポイントが接続されたネットワークに接続された情報処理装置に接続された無線ネットワーク機能搭載の記憶装置の無線ネットワーク機能を実現する通信手段を、前記情報処理装置との間で授受されるデータの通信専用の第２アクセスポイントして利用し、前記記憶装置に搭載されたデータ記憶手段を、前記情報処理装置との間で前記第２アクセスポイントを介して授受されるデータの一時格納領域として利用する手段として機能させるためのプログラム。
【発明の詳細な説明】
【技術分野】
【０００１】
本発明は、情報処理システム、情報処理装置、携帯端末装置及びプログラムに関する。
【背景技術】
【０００２】
例えば、特許文献１では、無線ＬＡＮへの接続に必要なアクセス情報を無線ＬＡＮアクセスポイントに予め設定しておき、無線ＬＡＮクライアントの無線ＬＡＮ環境への接続を行う際、無線ＬＡＮアクセスポイントが無線ＬＡＮクライアントへアクセス情報を送信することで無線ＬＡＮクライアントの便宜を及びセキュリティの確保を図る技術が提案されている。特許文献１において、無線ＬＡＮクライアントを接続する無線ＬＡＮアクセスポイントは、証明書サーバや認証サーバ等が接続された有線ＬＡＮ環境に接続されている。
【先行技術文献】
【特許文献】
【０００３】
【特許文献１】特開２００５−２８６７８３号公報
【発明の概要】
【発明が解決しようとする課題】
【０００４】
本発明は、情報処理装置と端末装置との間で無線ネットワークによりデータ通信する際に、端末装置からのアクセスに対し情報処理装置が接続された有線ネットワーク環境のセキュリティ性を維持しつつ情報処理装置と端末装置との間でデータ通信させることを目的とする。
【課題を解決するための手段】
【０００５】
本発明に係る情報処理システムは、携帯端末装置と、第１アクセスポイントが接続されたネットワークに接続された情報処理装置であって、前記携帯端末装置を接続する情報処理装置と、を有し、前記情報処理装置は、無線ネットワーク機能搭載の記憶装置を接続する接続手段を有し、前記接続手段に接続された前記記憶装置において無線ネットワーク機能を実現する通信手段を、前記情報処理装置と前記携帯端末装置との間で授受されるデータの通信専用の第２アクセスポイントして利用し、前記記憶装置に搭載されたデータ記憶手段を、前記情報処理装置と前記携帯端末装置との間で前記第２アクセスポイントを介して授受されるデータの一時格納領域として利用することを特徴とする。
【０００６】
また、前記携帯端末装置は、前記情報処理装置に提供するデータを前記第２アクセスポイントを介して前記データ記憶手段に書き込むデータ書込手段を有し、前記情報処理装置は、前記携帯端末装置により前記データ記憶手段に書き込まれると、そのデータに対してユーザにより指示された処理の実行を制御する処理制御手段を有することを特徴とする。
【０００７】
また、前記情報処理装置は、前記携帯端末装置に提供するデータを前記データ記憶手段に書き込むデータ書込手段を有し、前記携帯端末装置は、前記情報処理装置によりデータが前記データ記憶手段に書き込まれると、そのデータを前記第２アクセスポイントを介して取得する取得手段を有することを特徴とする。
【０００８】
また、前記携帯端末装置は、識別番号の表示を制御する表示制御手段と、前記識別番号を前記第２アクセスポイントを介して前記データ記憶手段に書き込む識別番号書込手段を有し、前記情報処理装置は、ユーザにより入力された識別番号を受け付ける受付手段と、前記データ記憶手段に書き込まれた識別番号と前記受付手段により受け付けられた識別番号とを照合する照合手段と、前記照合手段による照合の結果、識別番号が一致した場合に、ユーザにより指示された処理の実行を制御する処理制御手段と、を有し、前記データ書込手段は、前記処理制御手段により実行が制御された処理の実行結果として得られたデータを前記データ記憶手段に書き込むことを特徴とする。
【０００９】
前記携帯端末装置は、自装置を識別可能な識別情報を前記情報処理装置に通知する通知手段を有し、前記情報処理装置は、前記携帯端末装置から通知された識別情報に基づく名称の一時格納領域を前記データ記憶手段に生成する生成手段を有し、前記データ書込手段は、前記携帯端末装置に提供するデータを、当該携帯端末装置の識別情報に基づき生成された前記データ記憶手段の一時格納領域に書き込むことを特徴とする。
【００１０】
本発明に係る情報処理装置は、無線ネットワーク機能搭載の記憶装置を接続する接続手段を有し、前記接続手段に接続された前記記憶装置において無線ネットワーク機能を実現する通信手段を、接続されたネットワークに接続された第１アクセスポイントとは別の第２アクセスポイントであって、携帯端末装置との間で授受されるデータの通信専用の第２アクセスポイントして利用し、前記記憶装置に搭載されたデータ記憶手段を、前記携帯端末装置との間で前記第２アクセスポイントを介して授受されるデータの一時格納領域として利用することを特徴とする。
【００１１】
本発明に係るプログラムは、第１アクセスポイントが接続されたネットワークに接続されたコンピュータを、無線ネットワーク機能搭載の記憶装置を接続する接続手段として機能させ、前記接続手段に接続された前記記憶装置において無線ネットワーク機能を実現する通信手段を、携帯端末装置との間で授受されるデータの通信専用の第２アクセスポイントして利用し、前記記憶装置に搭載されたデータ記憶手段を、前記携帯端末装置との間で前記第２アクセスポイントを介して授受されるデータの一時格納領域として利用することを特徴とする。
【００１２】
本発明に係る携帯端末装置は、第１アクセスポイントが接続されたネットワークに接続された情報処理装置に接続された無線ネットワーク機能搭載の記憶装置の無線ネットワーク機能を実現する通信手段を、前記情報処理装置との間で授受されるデータの通信専用の第２アクセスポイントして利用し、前記記憶装置に搭載されたデータ記憶手段を、前記情報処理装置との間で前記第２アクセスポイントを介して授受されるデータの一時格納領域として利用する手段を有することを特徴とする。
【００１３】
本発明に係るプログラムは、コンピュータを、第１アクセスポイントが接続されたネットワークに接続された情報処理装置に接続された無線ネットワーク機能搭載の記憶装置の無線ネットワーク機能を実現する通信手段を、前記情報処理装置との間で授受されるデータの通信専用の第２アクセスポイントして利用し、前記記憶装置に搭載されたデータ記憶手段を、前記情報処理装置との間で前記第２アクセスポイントを介して授受されるデータの一時格納領域として利用する手段として機能させる。
【発明の効果】
【００１４】
請求項１に記載の発明によれば、情報処理装置が接続された有線ネットワーク環境のセキュリティ性を維持しつつ情報処理装置と無線ネットワークによりデータ通信させることができる。
【００１５】
請求項２に記載の発明によれば、第２アクセスポイントを介してデータ記憶手段に書き込まれたデータに基づきユーザにより指示された処理を情報処理装置に実行させることができる。
【００１６】
請求項３に記載の発明によれば、第２アクセスポイントを介してデータ記憶手段に書き込まれたデータに基づきユーザにより指示された処理を携帯端末装置に実行させることができる。
【００１７】
請求項４に記載の発明によれば、ユーザ認証に成功した場合にのみユーザにより指示された処理を情報処理装置に実行させることができる。
【００１８】
請求項５に記載の発明によれば、各携帯端末装置に対応させて一時格納領域をデータ記憶手段に生成することができる。
【００１９】
請求項６に記載の発明によれば、情報処理装置が接続された有線ネットワーク環境のセキュリティ性を維持しつつ情報処理装置と無線ネットワークによりデータ通信させることができる。
【００２０】
請求項７に記載の発明によれば、情報処理装置が接続された有線ネットワーク環境のセキュリティ性を維持しつつ情報処理装置と無線ネットワークによりデータ通信させることができる。
【００２１】
請求項８に記載の発明によれば、情報処理装置が接続された有線ネットワーク環境のセキュリティ性を維持しつつ情報処理装置と無線ネットワークによりデータ通信させることができる。
【００２２】
請求項９に記載の発明によれば、情報処理装置が接続された有線ネットワーク環境のセキュリティ性を維持しつつ情報処理装置と無線ネットワークによりデータ通信させることができる。
【図面の簡単な説明】
【００２３】
【図１】本発明に係る情報処理システムの一実施の形態を示したブロック構成図である。
【図２】実施の形態１における複合機のハードウェア構成図である。
【図３】実施の形態１における携帯端末に搭載されるコンピュータのハードウェア構成図である。
【図４】実施の形態１におけるコピーサービス処理を示したフローチャートである。
【図５Ａ】実施の形態２におけるスキャンサービス処理を示したフローチャートである。
【図５Ｂ】図５Ａに続くスキャンデータの転送処理を示したフローチャートである。
【図６】実施の形態２における携帯端末の操作パネルに表示された接続番号の表示画面の一例を示した図である。
【図７】実施の形態２における複合機の操作パネルに表示された接続番号の入力画面の一例を示した図である。
【図８】実施の形態２における複合機の操作パネルに表示されたスキャンデータの送信処理終了時の表示画面の一例を示した図である。
【図９】実施の形態２における携帯端末の操作パネルに表示されたスキャンデータ受信後の表示画面の一例を示した図である。
【図１０】実施の形態３におけるスキャンサービス処理の一部を示したフローチャートである。
【発明を実施するための形態】
【００２４】
以下、図面に基づいて、本発明の好適な実施の形態について説明する。
【００２５】
実施の形態１．
図１は、本発明に係る情報処理システムの一実施の形態を示したブロック構成図である。図１には、複合機１０と携帯端末２０とが示されている。複合機１０は、コンビニエンスストア等の店舗に設置され、スキャンサービスやプリントサービス等の各種サービスを来客に提供する情報処理装置である。本実施の形態では、複合機１０に情報処理装置を組み込むよう構成したが、情報処理装置に相当するＤＦＥ（Ｄｉｇｉｔａｌ  Ｆｒｏｎｔ  Ｅｎｄ）とスキャナやプリントエンジン等を搭載して各種機能を提供する複合機とを別装置にて形成してもよい。携帯端末２０は、来客（以下、「ユーザ」）に携帯される携帯端末装置であり、例えばスマートフォンやタブレット端末等である。
【００２６】
図２は、本実施の形態における複合機１０のハードウェア構成図である。複合機１０は、コピー機能、スキャナ機能等各種機能を搭載しており、コンピュータを内蔵した装置である。図２において、ＣＰＵ３１は、ＲＯＭ３２に格納されたプログラムにしたがってスキャナ３４やプリンタエンジン３５等本装置に搭載された各種機構の動作制御を行う。ＲＯＭ３２は、本装置の制御やプリントサービスやスキャンサービス等各種サービスの提供に関する各種プログラムが格納されている。ＲＡＭ３３は、プログラム実行時のワークメモリや電子データ送受信時の通信バッファとして利用される。スキャナ３４は、ユーザがセットした原稿を読み取り、デジタルデータとしてＨＤＤ（Ｈａｒｄ  Ｄｉｓｋ  Ｄｒｉｖｅ）３８等に蓄積する。プリンタエンジン３５は、ＣＰＵ３１で実行される制御プログラムからの指示に従い出力用紙上に画像を印字する。外部メディアインタフェース（ＩＦ）３６は、ＵＳＢメモリやＳＤメモリカード等の外部メモリ機器とのインタフェースである。本実施の形態における外部メディアインタフェース３６は、常時装着されるＳＤメモリカード（以下、単に「ＳＤカード」という）６０を接続する接続手段として設けられている。操作パネル３７は、ユーザからの指示の受け付け、情報の表示を行うユーザインタフェース手段である。ＨＤＤ３８は、スキャナ３４の読取画像等のデジタルデータを格納する。課金装置３９は、複合機１０が提供するサービスの利用者に対して課金を行う際に用いられる。ネットワークインタフェース（ＩＦ）４０は、有線によるＬＡＮ２を接続する。ＬＡＮ２には、Ｗｉ−Ｆｉにより無線ＬＡＮクライアントとの間で無線ＬＡＮ通信を行うアクセスポイント４や図示しない店舗の運営等に利用するコンピュータ、また本部への通信手段等の各装置が接続され、イントラネットが構築されている。アドレスデータバス４２は、ＣＰＵ３１の制御対象となる各種機構と接続してデータの通信を行う。
【００２７】
本実施の形態において用いるＳＤカード６０は、無線ＬＡＮ機能搭載の記憶装置であり、無線ネットワーク機能を実現する通信手段としてのアクセスポイント６３と、データ記憶手段としてのメモリ６４とが搭載されている。本実施の形態における複合機１０は、この構成により第１アクセスポイントであるアクセスポイント４及び第２アクセスポイントであるアクセスポイント６３の双方を介して無線ＬＡＮクライアントとデータ通信を行うことができるが、アクセスポイント４を店舗内の運用に、アクセスポイント６３を複合機１０の利用者へのサービス提供用に、と使い分ける。つまり、サービスの提供を受けるユーザが携帯端末２０と複合機１０との間でサービスを利用する際に当該ユーザが携帯する携帯端末２０をアクセスポイント４に接続しなくても利用できるように、換言すると、携帯端末２０をアクセスポイント４に接続させないことでＬＡＮ２に接続された店舗運営等に利用するコンピュータにアクセスさせないように構成した。
【００２８】
本実施の形態においては、アクセスポイント６３と無線ＬＡＮクライアントである携帯端末２０とがＷｉ−Ｆｉという無線ＬＡＮの規格に従って通信可能にネットワーク接続されることを「Ｗｉ−Ｆｉ接続」という。また、このＷｉ−Ｆｉに従ったネットワーク接続が切断されることをＷｉ−Ｆｉ接続が切断されると表現する。
【００２９】
図３は、本実施の形態における携帯端末２０に搭載されるコンピュータのハードウェア構成図である。本実施の形態における携帯端末２０は、従前からある携帯端末２０をそのまま利用してよい。つまり、携帯端末２０に搭載されるコンピュータも従前から存在する汎用的なハードウェア構成で実現できる。コンピュータは、図３に示したようにＣＰＵ５１、ＲＯＭ５２、ＲＡＭ５３、Ｗｉ−Ｆｉによる無線通信を実現する無線ＬＡＮ通信インタフェース（ＩＦ）５４、ユーザからの指示の受け付け、情報の表示を行う操作パネル５５、ハードディスクドライブ（ＨＤＤ）５６及びＷｉ−Ｆｉ以外の通信方式にて外部とネットワーク通信を行うネットワークインタフェース（ＩＦ）５７をバス５８に接続して構成される。
【００３０】
なお、上記各機器１０，２０は、従前から存在するハードウェア構成で実現可能であり、図２，３に示したハードウェア構成は一例である。本実施の形態は、各ＣＰＵ３１，５１で実行されるプログラムによる動作制御に特徴を有する。
【００３１】
図１に戻り、複合機１０は、無線接続処理部１１、ユーザインタフェース（ＵＩ）制御部１２、イントラネット通信処理部１３、情報管理部１４、鍵生成部１５、課金処理部１６、処理制御部１７及びデータ記憶部１８を有している。なお、本実施の形態における説明に用いない構成要素については省略している。無線接続処理部１１は、アクセスポイント６３を用いて携帯端末２０をＷｉ−Ｆｉ接続する。ユーザインタフェース制御部１２は、操作パネル３７への表示制御及び操作パネル３７からユーザにより入力された情報を受け付けるなどの入力制御を行う。イントラネット通信処理部１３は、ＬＡＮ２を経由したデータ通信処理を行う。情報管理部１４は、携帯端末２０の識別情報や鍵等の情報を保持、管理する。鍵生成部１５は、携帯端末２０との間で授受されるデータの暗号化／復号化のために用いる共通鍵を生成する。課金処理部１６は、課金装置３９と連携動作して複合機１０が提供するサービスの利用者に対して代金の請求や徴収を行うなどの課金処理を実施する。
【００３２】
処理制御部１７は、他の構成要素１１〜１６と連携動作しながらユーザにより指示されたサービスの提供のための処理の実行を制御する処理制御手段である。ユーザがプリントサービスを利用する場合、プリントサービス用のアプリケーションが起動され生成されるプリントジョブを実行する。また、ユーザがスキャンサービスを利用する場合、スキャンサービス用のアプリケーションが起動され生成されるスキャンジョブを実行する。
【００３３】
データ記憶部１８には、ＳＤカード６０を介して携帯端末２０と授受されるデータが記憶される。プリントジョブが実行される場合は、携帯端末２０から送信された画像データが保存される。スキャンジョブが実行される場合は、スキャナ３４によるスキャンにより生成されたスキャンデータが保存される。
【００３４】
複合機１０における各構成要素１１〜１７は、複合機１０に搭載されたハードウェアと、ＣＰＵ５１で動作するプログラムとの協調動作により実現される。また、情報管理部１４においてデータを保持する手段としてＲＡＭ３３又はＨＤＤ３８を用いる。データ記憶部１８は、ＨＤＤ３８にて実現する。記憶手段として外部にある記憶手段をネットワーク経由で利用してもよいが、本実施の形態では、セキュリティの関係上、特に断らない限り複合機１０の内部にある構成を用いて記憶する。
【００３５】
複合機１０に内蔵されるＳＤカード６０は、アクセスポイント６３により実現され、携帯端末２０との間のデータ通信を行うデータ通信部６１と、メモリ６４により実現され、複合機１０と携帯端末２０との間で授受されるデータの一時格納領域として利用されるデータ一時記憶部６２と、を有する。
【００３６】
携帯端末２０は、無線接続処理部２１、ユーザインタフェース（ＵＩ）制御部２２、情報管理部２３、処理制御部２４及びデータ記憶部２５を有している。なお、本実施の形態における説明に用いない構成要素については省略している。無線接続処理部２１は、無線ＬＡＮ通信インタフェース（ＩＦ）５４を用いて、複合機１０にＷｉ−Ｆｉ接続する。ユーザインタフェース制御部２２は、操作パネル５５への表示制御及び操作パネル５５からユーザにより入力された情報を受け付けるなどの入力制御を行う。情報管理部２３は、自装置を識別可能な識別情報として端末識別子及び公開鍵を複合機１０に通知する通知手段して機能する。また、端末識別子やと秘密鍵、また複合機１０から取得した共通鍵等の情報を保持、管理する。
【００３７】
処理制御部２４は、他の構成要素２１〜２３と連携動作しながらユーザにより指示されたサービスの提供を受けるための処理の実行を制御する処理制御手段である。ユーザがプリントサービスを利用する場合、起動されたプリントサービス用のアプリケーションに従い処理を実行する。また、ユーザがスキャンサービスを利用する場合、起動されたスキャンサービス用のアプリケーションに従い処理を実行する。特に、本実施の形態における処理制御部２４は、複合機１０に提供するデータをデータ通信部６１を介してデータ一時記憶部６２に書き込むデータ書込手段として機能する。
【００３８】
データ記憶部２５には、ＳＤカード６０を介して携帯端末２０と授受されるデータが記憶される。プリントサービスの利用時には携帯端末２０へ送信する印刷対象の画像データが保存される。スキャンサービスの利用時には、スキャナ３４により読み取られた原稿のデジタルデータ（スキャンデータ）が保存される。
【００３９】
携帯端末２０における各構成要素２１〜２４は、携帯端末２０に搭載されたハードウェアと、ＣＰＵ５１で動作するプログラムとの協調動作により実現される。また、情報管理部２３においてデータを記憶する手段としてＲＡＭ５３又はＨＤＤ５８を用いる。また、データ記憶部２５は、ＨＤＤ５８にて実現する。
【００４０】
本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００４１】
複合機１０で動作するアプリケーションは、データを携帯端末２０へ送信する場合、そのデータをデータ一時記憶部６２の所定のフォルダ（後述する「一時格納領域」に相当）に書き込む。携帯端末２０で動作するアプリケーションは、所定の時間間隔、例えば２００ミリ秒毎に定周期的にデータ一時記憶部６２からの読み出し確認を行う。より詳細には、携帯端末２０で動作するアプリケーションは、複合機１０から一時格納領域としてＵＲＬ（例えば、ｈｔｔｐ：／／ｅｘａｍｐｌｅ／）が事前に提供されており、ブラウザを起動してこのＵＲＬへアクセスすることで、提供された一時格納領域をアクセスして読み出し確認する。そして、この一時格納領域の中に新たなデータが書き込まれていれば、そのデータを取得する。この逆に、携帯端末２０で動作するアプリケーションは、データを複合機１０へ送信する場合、そのデータをデータ一時記憶部６２のＵＲＬで示される先にアップロードすることによりこのＵＲＬで特定される一時格納領域に書き込む。複合機１０で動作するアプリケーションは、所定の時間間隔、例えば１００ミリ秒毎に定周期的にデータ一時記憶部６２の所定のフォルダからデータの読み出しを行い、その際に新たなデータが書き込まれていれば、そのデータを取得する。このように、複合機と携帯端末２０との間のデータ通信は、正確にはＳＤカード６０のデータ通信部６１（アクセスポイント６３）を介したデータ一時記憶部６２（メモリ６４）の読み書きによって行われるが、本実施の形態では、便宜的にデータ通信部６１における動作の説明を省略して複合機１０／携帯端末２０への「送信」、携帯端末２０／複合機１０からの「受信」という表現を用いて説明する。
【００４２】
次に、本実施の形態における動作について説明する。本実施の形態では、ユーザが携帯端末２０をコンビニエンスストア等の店舗に持ち込み、店舗に設置された複合機１０が提供するプリントサービスを利用して携帯端末２０に保存されている画像を複合機１０を用いて印刷するまでの一連の処理の流れについて図４に示したフローチャートを用いて説明する。
【００４３】
ユーザが複合機１０の操作パネル３７に表示されたサービスメニュー（図示せず）の中からプリントサービスを選択すると、プリントサービス用のアプリケーションが起動され、処理制御部１７による制御のもと複合機１０における各構成要素１１〜１７における処理機能が発揮されることになる。まず、無線接続処理部１１は、アクセスポイント６３を起動してＷｉ−Ｆｉ接続が可能な環境を構築する（ステップ１０１）。このとき、携帯端末２０を接続するよう要求する旨を操作パネル３７に表示してもよい。
【００４４】
プリントサービスを選択したユーザは、携帯端末２０に所定の操作を行うことで携帯端末２０が接続可能なアクセスポイントのリストを操作パネル５５に表示させ、そのリストの中からアクセスポイント６３の識別子（ＳＳＩＤ（Ｓｅｒｖｉｃｅ  Ｓｅｔ  Ｉｄｅｎｔｉｆｉｅｒ））を選択する。無線接続処理部２１は、その選択操作に応じてアクセスポイント６３にＷｉ−Ｆｉ接続する（ステップ２０１）。続いて、ユーザは、携帯端末２０に事前にインストールされているプリントサービスのアプリケーションを起動する。これにより、処理制御部２４による制御のもと携帯端末２０における各構成要素２２〜２４における処理機能が発揮されることになる。
【００４５】
携帯端末２０においてアプリケーションが起動されると、ユーザインタフェース制御部２２は、操作パネル５５に表示された画像ファイルの選択画面を表示し、ユーザは、表示された選択画面を操作してデータ記憶部２５に保存されている画像ファイルの中から印刷対象とする画像ファイルを選択した後、送信ボタンを選択することで送信を指示する。処理制御部２４がこの送信指示を受け付けると（ステップ２０２）、情報管理部２３は、内部に保持している自装置の端末識別子とアプリケーションの公開鍵を複合機１０へ送信する（ステップ２０３）。
【００４６】
複合機１０における情報管理部１４が端末識別子及びアプリケーションの公開鍵を受信すると（ステップ１０２）、鍵生成部１５は、受信した公開鍵に基づき共通鍵を生成し（ステップ１０３）、その共通鍵をアプリケーションの公開鍵を用いて暗号化した後、携帯端末２０へ送信する（ステップ１０４）。携帯端末２０における情報管理部２３が共通鍵を受信すると、アプリケーションの内部に保持しているアプリケーションの秘密鍵を用いて、受信した共通鍵を復号した後、内部に保持する（ステップ２０４）。
【００４７】
以上のように、画像ファイルの送信準備が整うと、処理制御部２４は、ファイル送信の準備が完了し送信可能な状態になったことを複合機１０に通知する（ステップ２０５）。複合機１０における処理制御部１７は、その通知に応じて受信可能である旨を応答する（ステップ１０５）。仮に、画像ファイルの送受信ができない状態と判断した場合には、接続エラーが発生したものとして、その旨を示す表示を各操作パネル３７，５５に表示するようにしてもよい。
【００４８】
画像ファイルの送受信が可能な状態であることが確認されると、携帯端末２０の処理制御部２４は、印刷対象として選択された画像ファイルをデータ記憶部２５から読み出し、共通鍵を用いて暗号化してから複合機１０へ順次送信する（ステップ２０６）。
【００４９】
複合機１０における処理制御部１７は、携帯端末２０から送信されてくる画像ファイルを受信すると、情報管理部１４に保持されている共通鍵を用いて受信した画像ファイルを復号してからデータ記憶部１８に保存する（ステップ１０６）。このとき、処理制御部１７は、携帯端末２０から送信されてくる画像ファイルを復号して保存が完了したことを携帯端末２０に通知するようにしてもよい。そして、処理制御部１７は、プリントエンジン３５に指示を出すことでデータ記憶部１８に保存した画像ファイルの印刷を実行させる（ステップ１０７）。処理制御部１７は、上記画像ファイルの受信処理、また印刷処理の実行時にはそれぞれファイル受信中画面、全印刷ページ数及び印刷中のページ番号等を表示する印刷進捗画面をユーザインタフェース制御部１２に表示させるようにしてもよい。また、携帯端末２０においても同様に処理の進捗に合わせて状況を示す画面を操作パネル５５に表示するようにしてもよい。
【００５０】
課金処理部１６は、画像ファイルの印刷が完了する度に課金を行うが（ステップ１０８）、この決済の方式は現金、ＩＣカード等従前からある方式を用いてよい。課金済み等に関する情報は、イントラネット通信処理部１３を介して店舗若しくは本部のサーバ等に送信される。
【００５１】
以上のようにプリントサービスの提供が完了すると、処理制御部１７は、データ一時記憶部６２に保存された画像ファイル等のデータを全て削除し（ステップ１０９）、無線接続処理部１１は、アクセスポイント６３を停止させてＷｉ−Ｆｉ接続を切断する（ステップ１１０）。複合機１０における操作パネル３７には、プリントサービスの提供が完了に応じて自動的に、あるいはユーザ操作に応じてメインメニューの表示に切り替わり、サービスの提供が可能な初期の状態に戻る。
【００５２】
一方、携帯端末２０においても無線接続処理部２１は、複合機１０とのＷｉ−Ｆｉ接続を切断する（ステップ２０７）。
【００５３】
本実施の形態においては、以上のようにプリントサービス実行中に携帯端末２０をアクセスポイント４に接続せずにプリントサービスを提供することになる。
【００５４】
実施の形態２．
上記実施の形態１では、プリントサービスを提供する場合の処理について説明したが、本実施の形態では、スキャンサービスをユーザに提供する場合の処理について説明する。各構成要素は、基本的には実施の形態１と同じでよいが、実施の形態１においてはプリントサービス用のアプリケーションに従い処理を制御するのに対し、本実施の形態においてはスキャンサービス用のアプリケーションに従い処理を制御する点が異なるので、これにより、発揮する処理機能は若干異なる。具体的には、本実施の形態における処理制御部１７は、携帯端末２０に提供するデータをデータ一時記憶部６２に書き込むデータ書込手段及びデータ一時記憶部６２に書き込まれた識別番号としての接続番号をユーザインタフェース制御部１２により受け付けられた接続番号とを照合する照合手段として機能する。また、ユーザインタフェース制御部１２は、データ一時記憶部６２に書き込まれた接続番号の表示を制御する表示制御手段及びユーザにより入力された接続番号を受け付ける受付手段として機能する。
【００５５】
また、携帯端末２０において、処理制御部２４は、複合機１０によりデータがデータ一時記憶部６２に書き込まれると、そのデータをデータ通信部６１を介して取得する取得手段として機能する。また、情報管理部２３は、接続番号をデータ通信部６１を介してデータ一時記憶部６２に書き込む識別番号書込手段として機能する。
【００５６】
以下、ユーザが携帯端末２０と原稿をコンビニエンスストア等の店舗に持ち込み、店舗に設置された複合機１０が提供するスキャンサービスを利用して原稿のデジタルデータを携帯端末２０に保存するまでの一連の処理の流れについて図５に示したフローチャートを用いて説明する。なお、図５において、図４と同じ処理には同じステップ番号を付け、説明を適宜省略する。
【００５７】
ユーザが複合機１０の操作パネル３７に表示されたサービスメニュー（図示せず）の中からスキャンサービスを選択すると、スキャンサービス用のアプリケーションが起動され、無線接続処理部１１は、アクセスポイント６３を起動してＷｉ−Ｆｉ接続が可能な環境を構築する（ステップ１０１）。一方、ユーザが携帯端末２０に所定の操作をすると、無線接続処理部２１は、アクセスポイント６３にＷｉ−Ｆｉ接続する（ステップ２０１）。
【００５８】
続いて、ユーザが携帯端末２０に事前にインストールされているスキャンサービスのアプリケーションを起動すると、情報管理部２３は、内部に保持している自装置の端末識別子とアプリケーションの公開鍵を複合機１０へ送信し、これに応じて複合機１０により生成された共通鍵を取得し、内部に保持する（ステップ１０２〜１０４，ステップ２０３〜２０４）。更に、情報管理部２３は、複合機１０のアプリケーションが自装置を特定するために用いる接続番号を設定する。接続番号は、アプリケーションが任意に決定する番号でよく、英数字等の文字列や桁数などは任意でよい。ユーザインタフェース制御部２２は、接続番号を操作パネル５５に表示する（ステップ２２１）。この操作パネル５５への表示例を図６に示す。そして、情報管理部２３は、設定した接続番号を内部に保持すると共に、接続番号を含む制御情報を複合機１０へ送信する（ステップ２２２）。
【００５９】
なお、公開鍵等の送信と制御情報の送信はどちらを先に実行してもよい。また、携帯端末２０が全てのスキャンデータを確実に取得できるように、公開鍵等と共にＨＤＤ５６の空き容量を複合機１０へ送信して事前チェックさせるようにしてもよい。
【００６０】
複合機における情報管理部１４は、携帯端末２０から送信されてきた制御情報を受信すると（ステップ１２１）、これを内部に保持し、また、ユーザインタフェース制御部１２は、接続番号を入力させるための入力画面を操作パネル３７に表示する（ステップ１２２）。この操作パネル３７への表示例を図７に示す。
【００６１】
ユーザは、接続番号の入力画面から携帯端末２０に表示された接続番号を入力する。ユーザインタフェース制御部１２がその接続番号を受け付けると（ステップ１２３）、処理制御部１７は、ユーザ入力された接続番号を情報管理部１４に保持されている接続番号と照合する（ステップ１２４）。照合の結果、一致しない場合（ステップ１２５でＮ）、複合機１０を操作した者は原稿のスキャンデータを受け取るユーザでないと判断して、上記処理において情報管理部１４に表示していた全ての情報を削除し（ステップ１０９）、携帯端末２０とのＷｉ−Ｆｉ接続を切断することで処理を終了する（ステップ１１０）。もちろん、ユーザによる入力ミスを考慮して接続番号の再入力を数回受け付けるようにしてもよい。
【００６２】
照合の結果、一致した場合（ステップ１２５でＹ）、ユーザインタフェース制御部１２は、原稿をスキャナ３４に読み取らせるためのメッセージ等を操作パネル３７に表示する。ユーザがこれに応じて原稿をスキャナ３４に読み取らせることでスキャンデータが生成されると（ステップ１２６）、処理制御部１７は、スキャンデータを共通鍵で暗号化してデータ記憶部１８に保存する（ステップ１２７）。そして、処理制御部１７は、ファイル送信の準備が完了し送信可能な状態になったことを携帯端末２０に通知する（ステップ１２８）。携帯端末２０における処理制御部２４は、その通知に応じて受信可能である旨を応答する（ステップ２２３）。仮に、画像ファイルの送受信ができない状態と判断した場合には、接続エラーが発生したものとして、その旨を示す表示を各操作パネル３７，５５に表示するようにしてもよい。
【００６３】
スキャンデータの送受信が可能な状態であることが確認されると、複合機１０の処理制御部１７は、暗号化されたスキャンデータをデータ記憶部１８から読み出し、携帯端末２０へ順次送信する（ステップ１２９）。本実施の形態においては、原稿１ページに対して１ファイルのスキャンデータを生成しているので、順次送信としたのは各ファイルを順番に送信する、という意味である。
【００６４】
携帯端末２０における処理制御部２４は、複合機１０から送信されてくるスキャンデータを受信すると、情報管理部２３に保持されている共通鍵を用いて受信したスキャンデータを復号してからデータ記憶部２５に保存する（ステップ２２４）。このとき、処理制御部２４は、複合機１０から送信されてくる画像ファイルを復号して保存が完了したことを複合機１０に通知する。
【００６５】
処理制御部１７は、上記スキャンデータ（ファイル）の送信処理中、全原稿ページ数及び送信済みのページ数等を表示する送信進捗画面をユーザインタフェース制御部１２に表示させるようにしてもよい。また、携帯端末２０においても同様に処理の進捗に合わせて受信の状況を示す画面を操作パネル５５に表示するようにしてもよい。
【００６６】
そして、複合機１０においては、課金後（ステップ１０８）、データ記憶部１８に保存されているスキャンデータ及び情報管理部１４に保持されているデータを全て削除し（ステップ１０９）、Ｗｉ−Ｆｉ接続を切断する（ステップ１１０）。一方、携帯端末２０においても複合機１０とのＷｉ−Ｆｉ接続を切断する（ステップ２０７）。
【００６７】
前述したスキャンデータの送信が終了すると、ユーザインタフェース制御部１２は、例えば操作パネル３７に図８に例示した処理終了画面を表示し、ユーザにより継続ボタン５が選択されると原稿を更にスキャンするための画面に戻り、終了ボタン６が選択されると、スキャンサービスの提供を終了してサービスメニューを表示するよう処理してもよい。一方、携帯端末２０では、図９に例示したように取得した原稿のスキャンファイルの一覧を表示するようにしてもよい。
【００６８】
実施の形態３．
本実施の形態においては、実施の形態２とは異なる処理内容にてスキャンサービスをユーザに提供する場合について説明する。各構成要素は、基本的には実施の形態２と同じでよいが、本実施の形態における処理制御部１７は、携帯端末２０から通知された端末識別子に基づく名称の一時格納領域（フォルダ）をデータ一時記憶部６２に生成する生成手段として機能する。
【００６９】
以下、ユーザが携帯端末２０と原稿をコンビニエンスストア等の店舗に持ち込み、店舗に設置された複合機１０が提供するスキャンサービスを利用して原稿のデジタルデータを携帯端末２０に保存するまでの一連の処理の流れについて図１０に示したフローチャートを用いて説明する。なお、図１０に続く処理は図５Ｂと同じでよい。図１０において図５と同じ処理には同じステップ番号を付け、説明を適宜省略する。
【００７０】
ユーザによりサービスメニュー（図示せず）の中からスキャンサービスが選択されてから、共通鍵が生成され、携帯端末２０に保存されるまでの処理は実施の形態２と同じでよい（ステップ１０１〜１０４，２０１〜２０４）。
【００７１】
続いて、本実施の形態における処理制御部１７は、端末識別子をフォルダ名とするフォルダをデータ一時記憶部６２に生成する（ステップ１３１）。そして、スキャンにより生成されたスキャンデータを暗号化して携帯端末２０に送信するが（ステップ１２６〜１２９）、この際、暗号化したスキャンデータを、ステップ１３１において生成したフォルダに書き込むことになる。
【００７２】
一方、携帯端末２０における処理制御部２４は、複合機１０から送られてくるスキャンデータを受信することになるが（ステップ２２４）、この際、自装置の端末識別子をフォルダ名とするフォルダへの書込みを常時監視し、そのフォルダにスキャンデータが書き込まれることによって、そのスキャンデータを読み出し取得することになる。詳細には、例えば、端末識別子が“ａｂｃｄ”だとするとＵＲＬ（ｈｔｔｐ：／／ｅｘａｍｐｌｅ／ａｂｃｄ／）にアクセスし、そのアクセスしたフォルダに書き込まれたファイルを取得することになる。
【００７３】
アクセスポイント６３には、複数のユーザが同時に接続される場合があるが、サービスの利用可能なユーザは原則１人のみとし、複数ユーザの同時利用を禁止している。そして、ユーザがサービスの利用を止めたときにはサービス利用時に複合機１０に記憶された個人データ（スキャンデータ、鍵等）をセキュリティ性の維持の観点から全て削除するようにしている。ただ、セキュリティの問題は運用や他の手法にて解消するとしたならば、個人データを複合機１０に残しておくことも可能となり得るが、本実施の形態における複合機１０は、このような場合を考慮して各携帯端末２０の識別子により割り当てた一時格納領域（フォルダ）に分類してスキャンデータをＳＤカード６０に書き込むようにした。また、複数ユーザの同時利用を本来禁止していない複合機１０においては、携帯端末２０個々にフォルダを生成してデータのやり取りをすることは有効である。
【００７４】
なお、本実施の形態では、自装置を識別可能な識別情報として端末識別子を用い、端末識別子をフォルダ名とするフォルダを介して複合機１０と携帯端末２０との間でスキャンデータをやり取りするようにした。ただ、複合機１０と携帯端末２０との間でスキャンデータがやり取りでき、かつ複数の携帯端末２０において重複しないようにフォルダを命名できるのであれば、上記説明したように端末識別子をそのままフォルダ名としなくてもよい。例えば、端末識別子を所定の規則に従い編集したり、あるいは端末識別子以外の識別情報に基づき所定の規則に従いフォルダ名を生成したりしてもよい。
【００７５】
なお、上記説明した各実施の形態においては、プリントサービス及びスキャンサービスを例にして複合機１０と携帯端末２０との間でデータをやり取りする一連の処理について説明したが、データのやり取りを行うことになる他のサービスに適用してもよい。
【００７６】
また、各実施の形態では、コンビニエンスストア等の店舗に設置される複合機１０、換言すると公共の場に設置され、不特定多数の来客に利用される複合機１０を想定して説明したが、店舗以外に設置した複合機にも前述した構成を適用してもよい。
【符号の説明】
【００７７】
２  ＬＡＮ、４，６３  アクセスポイント、１０  複合機、１１，２１  無線接続処理部、１２，２２  ユーザインタフェース（ＵＩ）制御部、１３  イントラネット通信処理部、１４，２３  情報管理部、１５  鍵生成部、１６  課金処理部、１７，２４  処理制御部、１８，２５  データ記憶部、２０  携帯端末、３１，５１  ＣＰＵ、３２，５２  ＲＯＭ、３３，５３  ＲＡＭ、３４  スキャナ、３５  プリンタエンジン、３６  外部メディアインタフェース（ＩＦ）、３７，５５  操作パネル、３８，５６  ハードディスクドライブ（ＨＤＤ）、３９  課金装置、４０，５７  ネットワークインタフェース（ＩＦ）、４２  アドレスデータバス、５４  無線ＬＡＮ通信インタフェース（ＩＦ）、５８  バス、６０  ＳＤカード、６１  データ通信部、６２  データ一時記憶部、６４  メモリ。
【図１】
2016025450.tif 000003
【図２】
2016025450.tif 000004
【図３】
2016025450.tif 000005
【図４】
2016025450.tif 000006
【図５Ａ】
2016025450.tif 000007
【図５Ｂ】
2016025450.tif 000008
【図６】
2016025450.tif 000009
【図７】
2016025450.tif 000010
【図８】
2016025450.tif 000011
【図９】
2016025450.tif 000012
【図１０】
2016025450.tif 000013